(57)【要約】【課題】重要コメントであることを認識することができる会議支援システム、会議支援方法、会議支援装置のプログラム、および端末のプログラムを提供することを目的とする。【解決手段】会議支援システムは、会議の複数の参加者それぞれが使用する端末と、会議支援装置と、を有する会議支援システムであって、端末は、発言の内容が重要コメントであることを設定する操作部と、重要コメントであることを他の前記端末に報知する重要コメント報知部と、を備える。【選択図】図１
2018174442.tif 000002
【特許請求の範囲】
【請求項１】
会議の複数の参加者それぞれが使用する端末と、会議支援装置と、を有する会議支援システムであって、
前記端末は、
発言の内容が重要コメントであることを設定する操作部と、
前記重要コメントであることを他の前記端末に報知する重要コメント報知部と、
を備える会議支援システム。
【請求項２】
会議の複数の参加者それぞれが使用する端末と、会議支援装置と、を有する会議支援システムであって、
前記会議支援装置は、
発言を取得する取得部と、
前記端末が送信した、前記発言が重要コメントであることを示す情報に応じて、前記重要コメントの発言に対応するテキスト情報の表示を変更するテキスト修正部と、
前記テキスト情報を複数の前記端末に送信する通信部と、を備え、
前記端末は、
前記会議支援装置が送信した前記テキスト情報を表示する表示部と、
前記発言が重要コメントであることを設定する操作部と、
前記発言が重要コメントであることを示す情報を前記会議支援装置に送信する重要コメント報知部と、
を備える会議支援システム。
【請求項３】
前記端末の重要コメント報知部は、
前記発言の開始前と前記発言の終了時に、前記発言が重要コメントであることを示す情報を前記会議支援装置に送信する、請求項１または請求項２に記載の会議支援システム。
【請求項４】
前記端末の重要コメント報知部は、
前記発言の開始前に、前記発言が重要コメントであることを示す情報を前記会議支援装置に送信する、請求項１または請求項２に記載の会議支援システム。
【請求項５】
前記端末の重要コメント報知部は、
前記発言の後に、前記発言が重要コメントであることを示す情報を前記会議支援装置に送信する、請求項１または請求項２に記載の会議支援システム。
【請求項６】
前記会議支援装置は、前記発言の内容が音声情報の場合に前記音声情報を認識してテキスト情報に変換する音声認識部、を備え、
前記会議支援装置の前記発言を取得する取得部は、前記発言の内容が音声情報であるかテキスト情報であるか判別する、請求項２に記載の会議支援システム。
【請求項７】
前記会議支援装置のテキスト修正部は、
前記操作部が操作された後、テキスト表示を他のテキスト表示と色が異なるようにする、請求項１から請求項６のいずれか１項に記載の会議支援システム。
【請求項８】
前記端末の重要コメント報知部は、
前記操作部が操作された後、対象の重要コメント部分にマーキングする、請求項１から請求項７のいずれか１項に記載の会議支援システム。
【請求項９】
会議の複数の参加者それぞれが使用する端末を有する会議支援システムにおける会議支援方法であって、
前記端末の操作部が、発言の内容が重要コメントであることを設定するステップと、
前記端末の重要コメント報知部が、前記重要コメントであることを他の前記端末に報知するステップと、
を含む会議支援方法。
【請求項１０】
会議の複数の参加者それぞれが使用する端末と、会議支援装置と、を有する会議支援システムにおける会議支援方法であって、
前記会議支援装置の取得部が、発言を取得するステップと、
前記会議支援装置の通信部が、取得された前記発言のテキスト情報を複数の前記端末に送信するステップと、
前記端末の表示部が、前記会議支援装置が送信した前記テキスト情報を表示するステップと、
前記端末の操作部が、前記発言が重要コメントであることを設定するステップと、
前記端末の重要コメント報知部が、前記発言が重要コメントであることを示す情報を前記会議支援装置に送信するステップと、
前記会議支援装置のテキスト修正部が、前記端末が送信した、前記発言が重要コメントであることを示す情報に応じて、前記重要コメントの発言に対応するテキスト情報の表示を変更するステップと、
前記端末の表示部が、前記会議支援装置が送信した変更された前記テキスト情報を表示するステップと、
を含む会議支援システム。
【請求項１１】
会議の複数の参加者それぞれが使用する端末と、会議支援装置と、を有する会議支援システムにおける前記会議支援装置のコンピュータに、
発言を取得するステップと、
取得された発言のテキスト情報を複数の前記端末に送信するステップと、
前記端末が送信した、前記発言が重要コメントであることを示す情報に応じて、前記重要コメントの発言に対応するテキスト情報の表示を変更するステップと、
を実行させる会議支援装置のプログラム。
【請求項１２】
会議の複数の参加者それぞれが使用する端末と、会議支援装置と、を有する会議支援システムにおける前記端末のコンピュータに、
前記会議支援装置が送信した前記参加者の発言のテキスト情報を表示するステップと、
前記発言が重要コメントであることを設定するステップと、
前記発言が重要コメントであることを示す情報を前記会議支援装置に送信するステップと、
前記端末の表示部が、前記発言が重要コメントであることを示す情報の送信に応じて前記会議支援装置が送信した変更された前記テキスト情報を表示するステップと、
を実行させる端末のプログラム。
【発明の詳細な説明】
【技術分野】
【０００１】
本発明は、会議支援システム、会議支援方法、会議支援装置のプログラム、および端末のプログラムに関する。
【背景技術】
【０００２】
複数人が会議をする場合において、各発言者の発話内容をテキスト化して、発話内容をテキスト化して各利用者が所有する再生装置に表示することが提案されている（例えば特許文献１参照）。なお、特許文献１に記載の技術では、発話を話題毎に音声メモとして録音し、議事録作成者が、録音された音声メモを再生してテキスト化を行う。そして、特許文献１に記載の技術では、作成したテキストを他のテキストと関連付けて構造化して議事録を作成し、作成した議事録を再生装置で表示する。
【先行技術文献】
【特許文献】
【０００３】
【特許文献１】特開平８−１９４４９２号公報
【発明の概要】
【発明が解決しようとする課題】
【０００４】
しかしながら、実際の会話では、健聴者は、発話の雰囲気等でなにが重要なコメントなのかを理解することができるが、難聴者等の聴覚障がい者は、発話の部分が重要なコメントなのかを理解することが難しいという課題がある。
【０００５】
本発明は、上記の問題点に鑑みてなされたものであって、重要コメントであることを認識することができる会議支援システム、会議支援方法、会議支援装置のプログラム、および端末のプログラムを提供することを目的とする。
【課題を解決するための手段】
【０００６】
（１）上記目的を達成するため、本発明の一態様に係る会議支援システム１は、会議の複数の参加者それぞれが使用する端末２０と、会議支援装置３０と、を有する会議支援システムであって、前記端末は、発言の内容が重要コメントであることを設定する操作部２０１と、前記重要コメントであることを他の前記端末に報知する重要コメント報知部（処理部２０２、通信部２０４）と、を備える。
【０００７】
（２）上記目的を達成するため、本発明の一態様に係る会議支援システム１は、会議の複数の参加者それぞれが使用する端末２０と、会議支援装置３０と、を有する会議支援システムであって、前記会議支援装置は、発言を取得する取得部３０１と、前記端末が送信した、前記発言が重要コメントであることを示す情報に応じて、前記重要コメントの発言に対応するテキスト情報の表示を変更するテキスト修正部３０５と、前記テキスト情報を複数の前記端末に送信する通信部３０７と、を備え、前記端末は、前記会議支援装置が送信した前記テキスト情報を表示する表示部２０３と、前記発言が重要コメントであることを設定する操作部２０１と、前記発言が重要コメントであることを示す情報を前記会議支援装置に送信する重要コメント報知部（処理部２０２、通信部２０４）と、を備える。
【０００８】
（３）また、本発明の一態様に係る会議支援システムであって、前記端末の重要コメント報知部は、前記発言の開始前と前記発言の終了時に、前記発言が重要コメントであることを示す情報を前記会議支援装置に送信するようにしてもよい。
【０００９】
（４）また、本発明の一態様に係る会議支援システムであって、前記端末の重要コメント報知部は、前記発言の開始前に、前記発言が重要コメントであることを示す情報を前記会議支援装置に送信するようにしてもよい。
【００１０】
（５）また、本発明の一態様に係る会議支援システムであって、前記端末の重要コメント報知部は、前記発言の後に、前記発言が重要コメントであることを示す情報を前記会議支援装置に送信するようにしてもよい。
【００１１】
（６）また、本発明の一態様に係る会議支援システムであって、前記会議支援装置は、前記発言の内容が音声情報の場合に前記音声情報を認識してテキスト情報に変換する音声認識部３０２、を備え、前記会議支援装置の前記発言を取得する取得部は、前記発言の内容が音声情報であるかテキスト情報であるか判別するようにしてもよい。
【００１２】
（７）また、本発明の一態様に係る会議支援システムであって、前記会議支援装置のテキスト修正部は、前記操作部が操作された後、テキスト表示を他のテキスト表示と色が異なるようにするようにしてもよい。
【００１３】
（８）また、本発明の一態様に係る会議支援システムであって、前記端末の重要コメント報知部は、前記操作部が操作された後、対象の重要コメント部分にマーキングするようにしてもよい。
【００１４】
（９）上記目的を達成するため、本発明の一態様に係る会議支援方法は、会議の複数の参加者それぞれが使用する端末を有する会議支援システムにおける会議支援方法であって、前記端末の操作部が、発言の内容が重要コメントであることを設定するステップと、前記端末の重要コメント報知部が、前記重要コメントであることを他の前記端末に報知するステップと、を含む。
【００１５】
（１０）上記目的を達成するため、本発明の一態様に係る会議支援方法は、会議の複数の参加者それぞれが使用する端末と、会議支援装置と、を有する会議支援システムにおける会議支援方法であって、前記会議支援装置の取得部が、発言を取得するステップと、前記会議支援装置の通信部が、取得された前記発言のテキスト情報を複数の前記端末に送信するステップと、前記端末の表示部が、前記会議支援装置が送信した前記テキスト情報を表示するステップと、前記端末の操作部が、前記発言が重要コメントであることを設定するステップと、前記端末の重要コメント報知部が、前記発言が重要コメントであることを示す情報を前記会議支援装置に送信するステップと、前記会議支援装置のテキスト修正部が、前記端末が送信した、前記発言が重要コメントであることを示す情報に応じて、前記重要コメントの発言に対応するテキスト情報の表示を変更するステップと、前記端末の表示部が、前記会議支援装置が送信した変更された前記テキスト情報を表示するステップと、を含む。
【００１６】
（１１）上記目的を達成するため、本発明の一態様に係る会議支援装置のプログラムは、会議の複数の参加者それぞれが使用する端末と、会議支援装置と、を有する会議支援システムにおける前記会議支援装置のコンピュータに、発言を取得するステップと、取得された発言のテキスト情報を複数の前記端末に送信するステップと、前記端末が送信した、前記発言が重要コメントであることを示す情報に応じて、前記重要コメントの発言に対応するテキスト情報の表示を変更するステップと、を実行させる。
【００１７】
（１２）上記目的を達成するため、本発明の一態様に係る端末のプログラムは、会議の複数の参加者それぞれが使用する端末と、会議支援装置と、を有する会議支援システムにおける前記端末のコンピュータに、前記会議支援装置が送信した前記参加者の発言のテキスト情報を表示するステップと、前記発言が重要コメントであることを設定するステップと、前記発言が重要コメントであることを示す情報を前記会議支援装置に送信するステップと、前記端末の表示部が、前記発言が重要コメントであることを示す情報の送信に応じて前記会議支援装置が送信した変更された前記テキスト情報を表示するステップと、を実行させる。
【発明の効果】
【００１８】
（１）、（２）、（９）、（１０）、（１１）、（１２）によれば、参加者が重要コメントであることを認識することができる。（１）、（２）、（９）、（１０）、（１１）、（１２）によれば、特に聴覚障がい者等が重要コメントであることを認識することができる。
（３）、（４）によれば、発言のときに重要コメントであることを報知するので、参加者が重要コメントであることを認識することができる。
（５）によれば、発言後に重要コメントであることを報知するので、参加者が重要コメントであることを認識することができる。
（６）によれば、発言がテキスト情報であっても、参加者が重要コメントであることを認識することができる。
（７）によれば、重要コメントの部分を他のコメントに対して強調することができる。
（８）によれば、重要コメントを他のコメントに対して強調することができる。
【図面の簡単な説明】
【００１９】
【図１】第１実施形態に係る会議支援システムの構成例を示すブロック図である。
【図２】第１実施形態に係る端末の表示部上に表示される画像の例を示す図である。
【図３】第１実施形態に係る会議支援システムの処理手順例のシーケンス図である。
【図４】第１実施形態に係る端末が行う処理手順例を示すフローチャートである。
【図５】第１実施形態に係る会議支援装置が行う処理手順例を示すフローチャートである。
【図６】第１実施形態に係る参加者が発話後にテキスト情報を選択して重要なコメントであることを示すように表示を変更する例を示す図である。
【図７】第１実施形態に係る発話後に重要コメントを設定する場合に端末が行う処理手順例を示すフローチャートである。
【図８】第１実施形態に係る発話後に重要コメントを設定する場合に会議支援装置が行う処理手順例を示すフローチャートである。
【図９】第１実施形態に係る不要なコメントを指定して削除する例を示す図である。
【発明を実施するための形態】
【００２０】
以下、本発明の実施の形態について図面を参照しながら説明する。
【００２１】
まず、本実施形態の会議支援システムが使用される状況例を説明する。
本実施形態の会議支援システムは、２人以上が参加して行われる会議で用いられる。参加者のうち、発話が不自由な人が会議に参加していてもよい。発話可能な参加者は、参加者毎にマイクロフォンを装着する。また、参加者は、端末（スマートフォン、タブレット端末、パーソナルコンピュータ等）を所持している。会議支援システムは、参加者の発話した音声信号に対して音声認識、テキスト化して、各自の端末にテキストを表示させる。また、利用者は、重要な発話を行うとき端末を操作してから発話を開始、または発話後に端末に表示されたテキストにマーカー等を付与させる指示を行う。会議支援システムは、このような操作に応じて、全ての参加者の端末それぞれに、重要な発話であることを報知する。
【００２２】
［第１実施形態］
図１は、本実施形態に係る会議支援システム１の構成例を示すブロック図である。
まず、会議支援システム１の構成について説明する。
図１に示すように、会議支援システム１は、入力装置１０、端末２０、会議支援装置３０、音響モデル・辞書ＤＢ４０、および議事録・音声ログ記憶部５０を備える。また、端末２０は、端末２０−１、端末２０−２、・・・を備える。端末２０−１、端末２０−２のうち１つを特定しない場合は、端末２０という。
【００２３】
入力装置１０は、入力部１１−１、入力部１１−２、入力部１１−３、・・・を備える。入力部１１−１、入力部１１−２、入力部１１−３、・・・のうち１つを特定しない場合は、入力部１１という。
端末２０は、操作部２０１、処理部２０２（重要コメント報知部）、表示部２０３、および通信部２０４（重要コメント報知部）を備える。
会議支援装置３０は、取得部３０１、音声認識部３０２、テキスト変換部３０３（音声認識部）、テキスト修正部３０５、議事録作成部３０６、通信部３０７、認証部３０８、操作部３０９、処理部３１０、および表示部３１１を備える。
【００２４】
入力装置１０と会議支援装置３０とは、有線または無線によって接続されている。端末２０と会議支援装置３０とは、有線または無線によって接続されている。
【００２５】
まず、入力装置１０について説明する。
入力装置１０は、利用者が発話した音声信号を会議支援装置３０に出力する。なお、入力装置１０は、マイクロフォンアレイであってもよい。この場合、入力装置１０は、それぞれ異なる位置に配置されたＰ個のマイクロフォンを有する。そして、入力装置１０は、収音した音からＰチャネル（Ｐは、２以上の整数）の音声信号を生成し、生成したＰチャネルの音声信号を会議支援装置３０に出力する。
【００２６】
入力部１１は、マイクロフォンである。入力部１１は、利用者の音声信号を収音し、収音した音声信号をアナログ信号からデジタル信号に変換して、デジタル信号に変換した音声信号を会議支援装置３０に出力する。なお、入力部１１は、アナログ信号の音声信号を会議支援装置３０に出力するようにしてもよい。なお、入力部１１は、音声信号を、有線のコードやケーブルを介して、会議支援装置３０に出力するようにしてもよく、無線で会議支援装置３０に送信するようにしてもよい。
【００２７】
次に、端末２０について説明する。
端末２０は、例えばスマートフォン、タブレット端末、パーソナルコンピュータ等である。端末２０は、音声出力部、モーションセンサー、ＧＰＳ（Ｇｌｏｂａｌ  Ｐｏｓｉｔｉｏｎｉｎｇ  Ｓｙｓｔｅｍ；全地球測位システム）等を備えていてもよい。
【００２８】
操作部２０１は、利用者の操作を検出し、検出した結果を処理部２０２に出力する。操作部２０１は、例えば表示部２０３上に設けられたタッチパネル式のセンサー、またはキーボードである。
【００２９】
処理部２０２は、操作部２０１が出力した出力した操作結果に応じて送信情報を生成し、生成した送信情報を通信部２０４に出力する。送信情報は、会議への参加希望を示す参加要請、会議からの退出希望を示す退出要請、重要コメントの発話開始を示す情報、重要コメントの発話終了を示す情報、テキスト情報が重要コメントとして選択されたことを示す情報、過去の会議の議事録を再生する指示等のうちの１つである。なお、送信情報には、端末２０の識別情報が含まれている。なお、処理部２０２は、発話後に、その発話が重要コメントであると選択された場合、そのコメントに対応するテキスト情報が重要コメントとして選択されたことを示す情報を会議支援装置３０へ送信する。または、処理部２０２は、発話後に、その発話が重要コメントであると選択された場合、そのコメントに対応するテキスト情報を修正または変更（表示にマーカーを付加、フォントのサイズの変更、フォントの色の変更、下線等の追加）し、修正したテキスト情報を会議支援装置３０へ送信する。なお、重要コメントの選択は、文章の一部、単語等であってもよい。このように、処理部２０２は、重要コメントを開始する前、重要コメントを終了するとき（重要コメント終了後）、または発話終了後に重要コメントを選択したとき、重要コメントであることを示す情報を、通信部２０４を介して会議支援装置３０へ送信して報知する。
処理部２０２は、通信部２０４が出力するテキスト情報を取得し、取得したテキスト情報を画像データに変換し、変換した画像データを表示部２０３に出力する。なお、表示部２０３上に表示される画像については、図２、図６を用いて後述する。
【００３０】
表示部２０３は、処理部２０２が出力した画像データを表示する。表示部２０３は、例えば液晶表示装置、有機ＥＬ（エレクトロルミネッセンス）表示装置、電子インク表示装置等である。
【００３１】
通信部２０４は、テキスト情報または議事録の情報を会議支援装置３０から受信し、受信した受信情報を処理部２０２に出力する。通信部２０４は、処理部２０２が出力した指示情報を会議支援装置３０に送信する。
【００３２】
次に、音響モデル・辞書ＤＢ４０について説明する。
音響モデル・辞書ＤＢ４０には、例えば音響モデル、言語モデル、単語辞書等が格納されている。音響モデルとは、音の特徴量に基づくモデルであり、言語モデルとは、単語とその並び方の情報のモデルである。また、単語辞書とは、多数の語彙による辞書であり、例えば大語彙単語辞書である。なお、会議支援装置３０は、音声認識辞書１３に格納されていない単語等を、音響モデル・辞書ＤＢ４０に格納して更新するようにしてもよい。
【００３３】
次に、議事録・音声ログ記憶部５０について説明する。
議事録・音声ログ記憶部５０は、議事録（含む音声信号）を記憶する。議事録・音声ログ記憶部５０は、重要なコメントを示す情報も記憶するようにしてもよい。
【００３４】
次に、会議支援装置３０について説明する。
会議支援装置３０は、例えばパーソナルコンピュータ、サーバ、スマートフォン、タブレット端末等のうちのいずれかである。なお、会議支援装置３０は、入力装置１０がマイクロフォンアレイの場合、音源定位部、音源分離部、および音源同定部をさらに備える。会議支援装置３０は、参加者によって発話された音声信号を音声認識してテキスト化する。そして、会議支援装置３０は、テキスト化した発話内容のテキスト情報を、参加者の端末２０それぞれに送信する。また、会議支援装置３０は、発話前と発話終了後に重要コメントであることを示す情報を指示情報として端末２０から受信した場合、テキスト情報を修正し、修正したテキスト情報を端末２０それぞれに送信する。また、会議支援装置３０は、発話後に重要コメントであることを示す情報を指示情報として端末２０から受信した場合、端末２０から指示情報として受信した修正されたテキスト情報を端末２０それぞれに送信する。または、会議支援装置３０は、発話後に重要コメントであることを示す情報を指示情報として端末２０から受信した場合、端末２０から受信した情報に応じて、対応するテキスト情報を修正し、修正したテキスト情報を、通信部３０７を介して端末２０それぞれに送信する。
【００３５】
取得部３０１は、入力部１１が出力する音声信号を取得し、取得した音声信号を音声認識部３０２に出力する。なお、取得した音声信号がアナログ信号の場合、取得部３０１は、アナログ信号をデジタル信号に変換し、デジタル信号に変換した音声信号を音声認識部３０２に出力する。
【００３６】
音声認識部３０２は、入力部１１が複数の場合、入力部１１を使用する話者毎に音声認識を行う。
音声認識部３０２は、取得部３０１が出力する音声信号を取得する。音声認識部３０２は、取得部３０１が出力した音声信号から発話区間の音声信号を検出する。発話区間の検出は、例えば所定のしきい値以上の音声信号を発話区間として検出する。なお、音声認識部３０２は、発話区間の検出を周知の他の手法を用いて行ってもよい。または、音声認識部３０２は、端末２０が送信した重要コメントの発話開始を示す情報、重要コメントの発話終了を示す情報を用いて、発話区間を検出する。音声認識部３０２は、検出した発話区間の音声信号に対して、音響モデル・辞書ＤＢ４０を参照して、周知の手法を用いて音声認識を行う。なお、音声認識部３０２は、例えば特開２０１５−６４５５４号公報に開示されている手法等を用いて音声認識を行う。音声認識部３０２は、認識した認識結果と音声信号をテキスト変換部３０３に出力する。なお、音声認識部３０２は、認識結果と音声信号とを、例えば１文毎、または発話句間毎、または話者毎に対応つけて出力する。
【００３７】
テキスト変換部３０３は、音声認識部３０２が出力した認識結果をテキストに変換する。テキスト変換部３０３は、変換したテキスト情報と音声信号をテキスト修正部３０５に出力する。なお、テキスト変換部３０３は、「あー」、「えーと」、「えー」、「まあ」等の間投詞を削除してテキストに変換するようにしてもよい。
【００３８】
テキスト修正部３０５は、処理部３１０が出力した修正指示に応じて、テキスト変換部３０３が出力したテキスト情報の表示を、フォントの色を修正、フォントの大きさを修正、フォントの種類を修正、コメントに下線を追加、コメントにマーカーを付加等して修正する。テキスト修正部３０５は、テキスト変換部３０３が出力したテキスト情報、または修正したテキスト情報を処理部３１０に出力する。テキスト修正部３０５は、テキスト変換部３０３が出力したテキスト情報と音声信号を議事録作成部３０６に出力する。
【００３９】
議事録作成部３０６は、テキスト修正部３０５が出力したテキスト情報と音声信号に基づいて、発話者毎に分けて、議事録を作成する。議事録作成部３０６は、作成した議事録と対応する音声信号を議事録・音声ログ記憶部５０に記憶させる。なお、議事録作成部３０６は、「あー」、「えーと」、「えー」、「まあ」等の間投詞を削除して議事録を作成するようにしてもよい。
【００４０】
通信部３０７は、端末２０と情報の送受信を行う。端末２０から受信する情報には、参加要請、音声信号、指示情報（含む重要コメントであることを示す情報）、過去の会議の議事録を再生する指示等が含まれている。通信部３０７は、端末２０から受信した参加要請から、例えば、端末２０を識別するための識別子を抽出し、抽出した識別子を認証部３０８に出力する。識別子は、例えば、端末２０のシリアル番号、ＭＡＣアドレス（Ｍｅｄｉａ  Ａｃｃｅｓｓ  Ｃｏｎｔｒｏｌ  ａｄｄｒｅｓｓ）、ＩＰ（Ｉｎｔｅｒｎｅｔ  Ｐｒｏｔｏｃｏｌ）アドレス等である。通信部３０７は、認証部３０８が通信参加を許可する指示を出力した場合、会議に参加要請した端末２０との通信を行う。通信部３０７は、認証部３０８が通信参加を許可しない指示を出力した場合、会議に参加要請した端末２０との通信を行わない。通信部３０７は、受信した情報から指示情報を抽出し、抽出した指示情報を処理部３１０に出力する。通信部３０７は、処理部３１０が出力したテキスト情報または修正済みのテキスト情報を、参加要請のあった端末２０に送信する。通信部３０７は、処理部３１０が出力した議事録の情報を、参加要請のあった端末２０、または、過去の会議の議事録を再生する指示を送信した端末２０に送信する。
【００４１】
認証部３０８は、通信部３０７が出力した識別子を受け取り、通信を許可するか否か判別する。なお、会議支援装置３０は、例えば、会議への参加者が使用する端末２０の登録を受け付け、認証部３０８に登録しておく。認証部３０８は、判別結果に応じて、通信参加を許可する指示か、通信参加を許可しない指示を通信部３０７に出力する。
【００４２】
操作部３０９は、例えばキーボード、マウス、表示部３１１上に設けられているタッチパネルセンサー等である。操作部３０９は、利用者の操作結果を検出して、検出した操作結果を処理部３１０に出力する。
【００４３】
処理部３１０は、通信部３０７が出力した指示情報に応じて修正指示を生成し、生成した修正指示をテキスト修正部３０５に出力する。処理部３１０は、発話前と発話終了後に重要コメントであることを示す情報を指示情報として端末２０から受信した場合、テキスト情報を修正する修正指示をテキスト修正部３０５に出力する。なお、処理部３１０は、発話が終了したとき、終了を示す指示情報が送信されなくても、入力部１１から所定時間、所定レベル以上の音声信号を取得できないとき、この話者の発話が終了したと見なし、発話終了を示す情報を含む指示情報の代わりに用いてもよい。また、処理部３１０は、発話後に重要コメントであることを示す情報を指示情報として端末２０から受信した場合、端末２０から指示情報として受信した修正されたテキスト情報を通信部３０７に出力する。または、処理部３１０は、発話後に重要コメントであることを示す情報を指示情報として端末２０から受信した場合、端末２０から受信した情報に応じて、対応するテキスト情報を修正する修正指示をテキスト修正部３０５に出力する。
処理部３１０は、テキスト修正部３０５が出力したテキスト情報または修正済みのテキスト情報を通信部３０７に出力する。
処理部３１０は、指示情報に応じて議事録・音声ログ記憶部５０から議事録を読み出し、読み出した議事録の情報を通信部３０７に出力する。なお、議事録の情報には、話者を示す情報、テキスト修正部３０５が修正した結果を示す情報等が含まれていてもよい。
【００４４】
表示部３１１は、処理部３１０が出力した画像データを表示する。表示部３１１は、例えば液晶表示装置、有機ＥＬ表示装置、電子インク表示装置等である。
【００４５】
なお、入力装置１０がマイクロフォンアレイの場合、会議支援装置３０は、音源定位部、音源分離部、および音源同定部をさらに備える。この場合、会議支援装置３０は、取得部３０１が取得した音声信号に対して予め生成した伝達関数を用いて音源定位部が音源定位を行う。そして、会議支援装置３０は、音源定位部が定位して結果を用いて話者同定を行う。会議支援装置３０は、音源定位部が定位して結果を用いて、取得部３０１が取得した音声信号に対して音源分離を行う。そして、会議支援装置３０の音声認識部３０２は、分離された音声信号に対して発話区間の検出と音声認識を行う（例えば特開２０１７−９６５７号公報参照）。また、会議支援装置３０は、残響音抑圧処理を行うようにしてもよい。
【００４６】
また、会議支援装置３０は、テキスト変換部３０３が変換したテキスト情報に対して、さらに形態素解析、係り受け解析を行うようにしてもよい。
【００４７】
次に、端末２０の表示部２０３上に表示される画像の例を、図２を用いて説明する。
図２は、本実施形態に係る端末２０の表示部２０３上に表示される画像の例を示す図である。
【００４８】
まず、画像ｇ１０について説明する。
画像ｇ１０は、Ａさんが発話したときに、端末２０の表示部２０３上に表示される画像例である。画像ｇ１０には、入室ボタンの画像ｇ１１、退出ボタンの画像ｇ１２、重要コメントボタンの画像ｇ１３、発話終了ボタンの画像ｇ１４、文字入力ボタンの画像ｇ１５、定型文入力ボタンの画像ｇ１６、絵文字入力ボタンの画像ｇ１７、およびＡさんの発話のテキストの画像ｇ２１が含まれている。
【００４９】
入室ボタンの画像ｇ１１は、参加者が会議に参加するときに選択するボタンの画像である。
退出ボタンの画像ｇ１２は、参加者が会議から退出、または会議が終了したときに選択するボタンの画像である。
重要コメントボタンの画像ｇ１３は、重要な発言を開始するときに選択するボタンの画像である。
発話終了ボタンの画像ｇ１４は、重要な発言を終了するときに選択するボタンの画像である。
【００５０】
文字入力ボタンの画像ｇ１５は、参加者が音声による発話ではなく、端末２０の操作部２０１を操作して文字入力するときに選択するボタンの画像である。
定型文入力ボタンの画像ｇ１６は、参加者が音声による発話ではなく、端末２０の操作部２０１を操作して定型分を入力するときに選択するボタンの画像である。なお、このボタンが選択されると、複数の定型文が選択され、参加者は表示された複数の定型文から選択する。なお、定型文とは、例えば、「お早うございます。」、「こんにちは。」、「今日は寒いですね。」、「今日は暑いですね。」、「お手洗いに行ってきてもいいでしょうか？」、「ここで、少し休憩しませんか？」等である。
絵文字入力ボタンの画像ｇ１７は、参加者が音声による発話ではなく、端末２０の操作部２０１を操作して絵文字入力するときに選択するボタンの画像である。
【００５１】
Ａさんの発話のテキストの画像ｇ２１は、Ａさんが発話した音声信号を音声認識部３０２、テキスト変換部３０３が処理した後のテキスト情報である。
【００５２】
次に、画像ｇ２０について説明する。
画像ｇ２０は、Ａさんが発話した後にＢさんが重要なコメントの発話した後に、端末２０それぞれの表示部２０３ぞれぞれの上に表示される画像例である。画像ｇ２０には、画像ｇ１０に加えて、Ｂさんの発話のテキストの画像ｇ２２が含まれている。
図２に示す例では、Ａさんの発話が重要コメントではなく、Ｂさんのコメントが重要コメントの例である。このため、画像ｇ２１に対して、画像ｇ２２は、フォントの色を修正し、さらに下線が追加さられて、テキスト情報が修正された例でもある。なお、重要コメントの表示方法は、例えばマーカーで色付けを行うようにしてもよい。
また、図２に示した例では、表示部２０３上に表示されるボタンの例を説明したが、これらのボタンは物理的なボタン（操作部２０１）であってもよい。
【００５３】
次に、会議支援システム１の処理手順例を説明する。
図３は、本実施形態に係る会議支援システム１の処理手順例のシーケンス図である。
図３に示す例では、３人の参加者（利用者）が会議に参加している例である。参加者Ａは、会議支援装置３０の利用者であり、入力部１１−１を装着している。参加者Ｂは、端末２０−１の利用者であり、入力部１１−２を装着している。参加者Ｃは、端末２０−２の利用者であり、入力部１１を装着していない。例えば、参加者Ｂと参加者Ｃが難聴者等の聴覚障がい者であるとする。
【００５４】
（ステップＳ１）利用者Ｂは、端末２０−１の操作部２０１を操作して入室ボタンの画像ｇ１１（図２）を選択して、会議に参加する。端末２０−１の処理部２０２は、操作部２０１によって入室ボタンの画像ｇ１１が選択された結果に応じて、参加要請を会議支援装置３０に送信する。
【００５５】
（ステップＳ２）参加者Ｃは、端末２０−２の操作部２０１を操作し入室ボタンの画像ｇ１１を選択して、会議に参加する。端末２０−２の処理部２０２は、操作部２０１によって入室ボタンの画像ｇ１１が選択された結果に応じて、参加要請を会議支援装置３０に送信する。
【００５６】
（ステップＳ３）会議支援装置３０の通信部３０７は、端末２０−１と端末２０−２それぞれが送信した参加要請を受信する。続けて、通信部３０７は、端末２０から受信した参加要請から、例えば、端末２０を識別するための識別子を抽出する。続けて、会議支援装置３０の認証部３０８は、通信部３０７が出力した識別子を受け取り、通信を許可するか否かの認証を行う。図３の例では、端末２０−１と端末２０−２の参加を許可した例である。
【００５７】
（ステップＳ４）参加者Ａが発話を行う。入力部１１−１は、音声信号を会議支援装置３０に出力する。
（ステップＳ５）会議支援装置３０の音声認識部３０２は、入力部１１−１が出力した音声信号に対して音声認識処理を行う（音声認識処理）。
【００５８】
（ステップＳ６）会議支援装置３０のテキスト変換部３０３は、音声信号をテキストに変換する（テキスト変換処理）。
（ステップＳ７）会議支援装置３０の処理部３１０は、通信部３０７を介してテキスト情報を端末２０−１と端末２０−２それぞれに送信する。
【００５９】
（ステップＳ８）端末２０−２の処理部２０２は、会議支援装置３０が送信したテキスト情報を、通信部２０４を介して受信し、受信したテキスト情報を端末２０−２の表示部２０３上に表示させる。
（ステップＳ９）端末２０−１の処理部２０２は、会議支援装置３０が送信したテキスト情報を、通信部２０４を介して受信し、受信したテキスト情報を端末２０−１の表示部２０３上に表示させる。
【００６０】
（ステップＳ１０）参加者Ｂは、発話前に端末２０−１の操作部２０１を操作して、重要コメントボタンの画像ｇ１３（図２）を選択する。続けて、端末２０−１の処理部２０２は、操作部２０１が操作されたことに応じて、重要コメントの開始を示す情報を含む指示情報を会議支援装置３０に送信する。
【００６１】
（ステップＳ１１）参加者Ｂが発話を行う。入力部１１−２は、音声信号を会議支援装置３０に送信する。
（ステップＳ１２）参加者Ｂは、発話が終了したときに端末２０−１の操作部２０１を操作して、発話終了ボタンの画像ｇ１４（図２）を選択する。続けて、端末２０−１の処理部２０２は、操作部２０１が操作されたことに応じて、重要コメントの終了を示す情報を含む指示情報を会議支援装置３０に送信する。
【００６２】
（ステップＳ１３）会議支援装置３０の音声認識部３０２は、入力部１１−２が送信した音声信号に対して音声認識処理を行う。
（ステップＳ１４）会議支援装置３０のテキスト変換部３０３は、音声信号をテキストに変換する。
【００６３】
（ステップＳ１５）会議支援装置３０のテキスト修正部３０５は、端末２０−１が送信した指示情報に応じてテキスト情報を修正する。テキスト修正部３０５は、例えば、図２の画像ｇ２２のように、参加者Ｂの発話のテキスト情報のフォントの色を変更し、さらに下線を追加する。
（ステップＳ１６）会議支援装置３０の処理部３１０は、通信部３０７を介して修正したテキスト情報を端末２０−１と端末２０−２それぞれに送信する。
【００６４】
（ステップＳ１７）端末２０−２の処理部２０２は、ステップＳ８と同様に処理を行う。
（ステップＳ１８）端末２０−１の処理部２０２は、ステップＳ９と同様に処理を行う。
以上で、会議支援システム１の処理を終了する。なお、ステップＳ１９の処理については、後述する。
【００６５】
次に、端末２０が行う処理手順例を説明する。
図４は、本実施形態に係る端末２０が行う処理手順例を示すフローチャートである。
【００６６】
（ステップＳ１０１）処理部２０２は、操作部２０１が操作されて重要コメントボタンの画像ｇ１３（図２）が操作されたか否かを判別する。処理部２０２は、重要コメントボタンが操作されたと判別した場合（ステップＳ１０１；ＹＥＳ）、ステップＳ１０２の処理に進める。または、処理部２０２は、重要コメントボタンが操作されていないと判別した場合（ステップＳ１０１；ＮＯ）、ステップＳ１０５の処理に進める。参加者は、発話を開始する。続けて、入力装置１０は、発話された音声信号を会議支援装置３０に出力する。
【００６７】
（ステップＳ１０２）処理部２０２は、重要コメントの発話を開始することを示す情報を含む指示情報を、会議支援装置３０に送信することで報知する。
（ステップＳ１０３）処理部２０２は、操作部２０１が操作されて会話終了ボタンの画像ｇ１４（図２）が操作されたか否かを判別する。処理部２０２は、会話終了ボタンが操作されたと判別した場合（ステップＳ１０３；ＹＥＳ）、ステップＳ１０４の処理に進め、会話終了ボタンが操作されていないと判別した場合（ステップＳ１０３；ＮＯ）、ステップＳ１０３の処理を繰り返す。
【００６８】
（ステップＳ１０４）処理部２０２は、重要コメントの発話が終了したことを示す情報を含む指示情報を、会議支援装置３０に送信することで報知する。
（ステップＳ１０５）処理部２０２は、会議支援装置３０が送信したテキスト情報または修正後のテキスト情報を受信する。
（ステップＳ１０６）処理部２０２は、受信したテキスト情報または修正後のテキスト情報を表示部２０３上に表示させる。
以上で、端末２０の処理を終了する。
【００６９】
次に、会議支援装置３０が行う処理手順例を説明する。
図５は、本実施形態に係る会議支援装置３０が行う処理手順例を示すフローチャートである。
【００７０】
（ステップＳ２０１）処理部３１０は、端末２０から重要コメントの発話を開始することを示す情報を含む指示情報を受信したか否かを判別する。処理部３１０は、指示情報を受信していないと判別した場合（ステップＳ２０１；ＮＯ）、ステップＳ２０２に処理を進め、指示情報を受信したと判別した場合（ステップＳ２０１；ＹＥＳ）、ステップＳ２０５に処理を進める。
【００７１】
（ステップＳ２０２）取得部３０１は、入力装置１０が出力する音声信号を取得する。
（ステップＳ２０３）音声認識部３０２は、取得された音声信号に対して音声認識処理を行う。
（ステップＳ２０４）テキスト変換部３０３は、音声認識された結果に基づいて、発話内容をテキストに変換する（テキスト化）。処理後、テキスト変換部３０３は、ステップＳ２１０に処理を進める。
【００７２】
（ステップＳ２０５）取得部３０１は、入力装置１０が出力する音声信号を取得する。
（ステップＳ２０６）処理部３１０は、端末２０から重要コメントの発話を終了することを示す情報を含む指示情報を受信したか否かを判別する。処理部３１０は、指示情報を受信していないと判別した場合（ステップＳ２０６；ＮＯ）、ステップＳ２０５に処理を戻し、指示情報を受信したと判別した場合（ステップＳ２０６；ＹＥＳ）、ステップＳ２０７に処理を進める。
【００７３】
（ステップＳ２０７）音声認識部３０２は、取得された音声信号に対して音声認識処理を行う。
（ステップＳ２０８）テキスト変換部３０３は、音声認識された結果に基づいて、発話内容をテキストに変換する。
【００７４】
（ステップＳ２０９）テキスト修正部３０５は、テキスト情報の表示を変更する（テキスト修正）。テキスト修正部３０５は、例えば、図２に示したように、重要コメントのテキスト情報のフォントの色を変更し、さらに下線を追加するように修正する。
【００７５】
（ステップＳ２１０）処理部３１０は、テキスト情報または修正されたテキスト情報を端末２０に送信する。
以上で、会議支援装置３０が行う処理を終了する。
【００７６】
なお、図２に示した例では、重要コメントボタンを設定し、そのボタンが操作された後の発話について、テキストに色づけ等をして表示させる例を説明したが、これに限られない。発話後、音声認識処理とテキスト化した後に、発話者が重要コメントの部分についてマーキングを行うようにしてもよい。
次に、参加者が、発話後にテキスト情報を選択して、重要なコメントであることを示すように表示を変更する例を説明する。
【００７７】
図６は、本実施形態に係る参加者が発話後にテキスト情報を選択して重要なコメントであることを示すように表示を変更する例を示す図である。
画像ｇ３０は、Ａさんが発話した後にＢさんが発話したときに、端末２０の表示部２０３上に表示される画像例である。画像ｇ３０には、入室ボタンの画像ｇ１１、退出ボタンの画像ｇ１２、重要コメント選択ボタンの画像ｇ１３ａ、文字入力ボタンの画像ｇ１５、定型文入力ボタンの画像ｇ１６、絵文字入力ボタンの画像ｇ１７、Ａさんの発話のテキストの画像ｇ２１、およびＢさんの発話のテキスト画像ｇ３１が含まれている。
【００７８】
重要コメント選択ボタンの画像ｇ１３ａは、発言後に、その発言が重要コメントである場合に選択するボタンの画像である。なお、選択は、発言の一部、単語等であってもよい。例えば、画像ｇ３１において、「Ｂさん：△△ではなく、○△にしたら如何でしょうか？」の領域を利用者がタッチすることで、処理部２０２は発言全てを選択する。または、「○△」をタッチすることで、処理部２０２は単語「○△」を選択する。なお、選択は、発言者が行ってもよく、他の参加者が行ってもよい。
【００７９】
画像ｇ４０は、Ｂさんが発話した発話内容を重要コメントに選択したときに、端末２０の表示部２０３上に表示される画像例である。
画像ｇ４０は、Ｂさんの発話全てが選択され、この結果、画像ｇ３１「△△ではなく、○△にしたら如何でしょうか？」のテキスト情報にマーカー（画像ｇ４１）が付加されている例である。
【００８０】
なお、図６に示したような発話後の重要コメントの選択は、会議終了後に、議事録を端末２０上に表示させたときに行うようにしてもよい。
【００８１】
次に、発話後に重要コメントを設定する場合に端末２０が行う処理手順例を説明する。
図７は、本実施形態に係る発話後に重要コメントを設定する場合に端末２０が行う処理手順例を示すフローチャートである。なお、図７に示す例は、マーカーの付与を端末２０の処理部２０２が行う例である。また、重要コメントの選択を端末２０−１の利用者が行い、他の端末２０−２へ報知する例でもある。
【００８２】
（ステップＳ３０１）端末２０−１の処理部２０２は、会議支援装置３０が送信したテキスト情報または修正後のテキスト情報を受信する。
（ステップＳ３０２）端末２０−１の処理部２０２は、受信したテキスト情報または修正後のテキスト情報を表示部２０３上に表示させる。
【００８３】
（ステップＳ３０３）端末２０−１の処理部２０２は、操作部２０１が操作されて重要コメントボタンの画像ｇ１３ａ（図６）が操作されたか否かを判別する。端末２０−１の処理部２０２は、重要コメントボタンが操作されたと判別した場合（ステップＳ３０３；ＹＥＳ）、ステップＳ３０４の処理に進め、重要コメントボタンが操作されていないと判別した場合（ステップＳ３０３；ＮＯ）、処理を終了する。
【００８４】
（ステップＳ３０４）端末２０−１の処理部２０２は、発話がコメントにマーカーを不付加して修正したテキスト情報と、重要コメントであることを示す情報を含む指示情報を、会議支援装置３０に送信することで報知する。
（ステップＳ３０５）端末２０−２の処理部２０２は、会議支援装置３０が送信した修正後のテキスト情報を受信する。
（ステップＳ１０６）端末２０−２の処理部２０２は、受信した修正後のテキスト情報を表示部２０３上に表示させる。これにより、他の端末２０−２の表示部２０３上にも図６の画像ｇ４０が表示される。
以上で、端末２０の処理を終了する。
【００８５】
次に、発話後に重要コメントを設定する場合に会議支援装置３０が行う処理手順例を説明する。
図８は、本実施形態に係る発話後に重要コメントを設定する場合に会議支援装置３０が行う処理手順例を示すフローチャートである。
【００８６】
（ステップＳ４０１）処理部３１０は、端末２０−１から修正されたテキスト情報と重要コメントであることを示す情報を含む指示情報を受信したか否かを判別する。処理部３１０は、指示情報を受信していないと判別した場合（ステップＳ４０１；ＮＯ）、ステップＳ４０３に処理を進め、指示情報を受信したと判別した場合（ステップＳ４０１；ＹＥＳ）、ステップＳ４０２に処理を進める。なお、処理部３１０は、指示情報に含まれる識別情報に基づいて、指示情報を送信した端末２０を識別する。
【００８７】
（ステップＳ４０２）処理部３１０は、受信した修正されたテキスト情報を、通信部３０７を介して受信した端末２０−１以外の端末２０−２に送信する。なお、処理部３１０は、受信した修正されたテキスト情報を端末２０−１にも送信するようにしてもよい。
（ステップＳ４０３）処理部３１０は、通信部３０７を介してテキスト情報を端末２０に送信する。
以上で、会議支援装置３０が行う処理を終了する。
【００８８】
なお、端末２０の処理部２０２は、図３のステップＳ１９のように、修正（変更）したテキスト情報を、指示情報を送信してきた端末２０以外の他の端末２０に送信するようにしてもよい。または、処理部２０２は、図３のステップＳ１９のように、修正（変更）したテキスト情報を、会議支援装置３０に送信するようにしてもよい。
【００８９】
なお、図７、図８に示した例では、テキスト情報が重要コメントの場合に、端末２０の処理部２０２がテキスト情報の表示を変更する例を説明したが、会議支援装置３０の処理部３１０が変更するようにしてもよい。この場合、端末２０の処理部２０２は、コメントを変更したことを示す情報を含む指示情報を、会議支援装置３０に送信するようにしてもよい。そして、会議支援装置３０の処理部３１０は、受信した情報に応じて、テキスト修正部３０５に修正指示を出力し、テキスト修正部３０５が修正したテキスト情報を端末２０それぞれに送信するようにしてもよい。
【００９０】
また、上述した例では、発話が重要なコメントの場合に、重要なコメントであることを報知するように表示を変化させる例を説明したが、発話者が不要なコメントを指定して削除させるようにしてもよい。
【００９１】
図９は、本実施形態に係る不要なコメントを指定して削除する例を示す図である。
画像ｇ５０には、入室ボタンの画像ｇ１１、退出ボタンの画像ｇ１２、文字入力ボタンの画像ｇ１５、定型文入力ボタンの画像ｇ１６、絵文字入力ボタンの画像ｇ１７、不要コメントボタンの画像ｇ１８、Ａさんの発話のテキストの画像ｇ２１、およびＢさんの発話のテキストの画像ｇ３１、コメント選択アイコンの画像ｇ５１が含まれている。
【００９２】
不要コメントボタンの画像ｇ１８は、テキスト情報のうち、不要なコメントを選択して削除を行うためのボタンの画像である。不要コメントボタンの画像ｇ１８が選択されると、処理部２０２は、コメント選択アイコンの画像ｇ５１を表示部２０３上に表示させる。
コメント選択アイコンの画像ｇ５１は、テキスト情報のうち、不要な箇所を選択するためのアイコンの画像である。
【００９３】
図９に示す例では、Ｂさんの発話「そういえば、昨日は寒かったですね。それはおいといて。△△ではなく、○△にしたら如何でしょうか？」のうち、「そういえば、昨日は寒かったですね。それはおいといて。」が選択された例である。選択されたコメントの表示の修正は、端末２０の処理部２０２が行う。または、会議支援装置３０のテキスト修正部３０５が行うようにしてもよい。
このような不要なコメントがある場合、会議支援装置３０のテキスト修正部３０５が、不要なコメントを削除したテキスト情報を議事録作成部３０６に出力する。これにより、議事録からも不要なコメントを削除することができる。
【００９４】
なお、上述した例では、発話が日本語の場合、日本語にテキスト変換する例を説明したが、テキスト変換部３０３は、周知の翻訳手法を用いて、発話された言語と異なる言語のテキストに翻訳するようにしてもよい。この場合、端末２０それぞれに表示される言語は、端末２０の利用者が選択するようにしてもよい。例えば、端末２０−１の表示部２０３上には、日本語のテキスト情報が表示され、端末２０−２の表示部２０３には、英語のテキスト情報が表示されるようにしてもよい。
【００９５】
また、上述した例では、重要コメントであることを示す指示情報を会議支援装置３０経由で他の端末２０に送信する例を説明したが、これに限られない。発話後に重要コメントにマーカーを付加する場合、マーカー付加した端末２０の処理部２０２が、会議支援装置３０に加えて、他の端末２０に修正したテキスト情報を直接送信することで報知するようにしてもよい。
【００９６】
以上、本実施形態では、図２、図４〜図５に示したように、重要コメントボタンと発話終了ボタンを端末２０に設け、そのボタンが操作されたときの発話について、テキストに色づけ等をして参加者が使用する端末２０に重要コメントであることを報知するようにした。
また、本実施形態では、テキスト翻訳（テキスト化）された内容のうち、発話者が重要コメントの部分についてマーキングを行い、参加者が使用する端末２０に重要コメントであることを報知するようにした。
【００９７】
これにより、本実施形態によれば、参加者が重要コメントであることを認識することができる。本実施形態によれば、特に聴覚障がい者等が、端末２０上の表示によって、重要コメントであることを認識することができる。
【００９８】
また、本実施形態によれば、発言のときに重要コメントであることを報知するので、参加者が重要コメントであることを認識することができる。
また、本実施形態によれば、発言後に重要コメントであることを報知するので、参加者が重要コメントであることを認識することができる。
【００９９】
また、本実施形態によれば、重要なコメントに対して表示を修正（フォントの色、下線、マーカー、フォントの大きさ等）を行うようにしたので、重要コメントの部分を他のコメントに対して強調することができる。
また、本実施形態によれば、重要なコメントに対して表示を修正（フォントの色、下線、マーカー、フォントの大きさ等）を行うようにしたので、重要コメントを他のコメントに対して強調することができる。
【０１００】
［第２実施形態］
第１実施形態では、取得部３０１が取得する信号が音声信号の例を説明したが、取得する情報がテキスト情報であってもよい。この場合について、図１を参照して説明する。
【０１０１】
入力部１１は、マイクロフォンまたはキーボード（タッチパネル式のキーボードを含む）である。入力部１１がマイクロフォンの場合、入力部１１は、参加者の音声信号を収音し、収音した音声信号をアナログ信号からデジタル信号に変換して、デジタル信号に変換した音声信号を会議支援装置３０に出力する。入力部１１がキーボードの場合、入力部１１は、参加者の操作を検出し、検出した結果のテキスト情報を会議支援装置３０に出力する。入力部１１がキーボードの場合、入力部１１は、端末２０の操作部２０１であってもよい。なお、入力部１１は、音声信号またはテキスト情報を、有線のコードやケーブルを介して、会議支援装置３０に出力するようにしてもよく、無線で会議支援装置３０に送信するようにしてもよい。入力部１１は、端末２０の操作部２０１の場合、参加者は、例えば図２に示したように、文字入力ボタンの画像ｇ１５、定型文入力ボタンの画像ｇ１６、絵文字入力ボタンの画像ｇ１７を選択して操作する。なお、文字入力ボタンの画像ｇ１５が選択された場合、端末２０の処理部２０２は、表示部２０３上にソフトウェアキーボードの画像を表示する。
【０１０２】
取得部３０１は、取得した情報が音声信号であるかテキスト情報であるか判別する。取得部３０１は、テキスト情報であると判別した場合、取得したテキスト情報を音声認識部３０２とテキスト変換部３０３を介してテキスト修正部３０５に出力する。
【０１０３】
本実施形態では、このようにテキスト情報が入力された場合であっても、そのテキスト情報を端末２０の表示部２０３上に表示させる。
これにより、本実施形態によれば、入力がテキスト情報であっても、第１実施形態と同様の効果を得ることができる。
【０１０４】
なお、本発明における会議支援システム１の全てまたは一部の機能を実現するためのプログラムをコンピュータ読み取り可能な記録媒体に記録して、この記録媒体に記録されたプログラムをコンピュータシステムに読み込ませ、実行することにより会議支援システム１が行う処理の全てまたは一部を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１０５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１０６】
１…会議支援システム、１０…入力装置、２０，２０−１，２０−２…端末、３０…会議支援装置、４０…音響モデル・辞書ＤＢ、５０…議事録・音声ログ記憶部、１１−１，１１−２，１１−３…入力部、２０１…操作部、２０２…処理部、２０３…表示部、２０４…通信部、３０１…取得部、３０２…音声認識部、３０３…テキスト変換部、３０５…テキスト修正部、３０６…議事録作成部、３０７…通信部、３０８…認証部、３０９…操作部、３１０…処理部、３１１…表示部
【図１】
2018174442.tif 000003
【図２】
2018174442.tif 000004
【図３】
2018174442.tif 000005
【図４】
2018174442.tif 000006
【図５】
2018174442.tif 000007
【図６】
2018174442.tif 000008
【図７】
2018174442.tif 000009
【図８】
2018174442.tif 000010
【図９】
2018174442.tif 000011